(57)【特許請求の範囲】
【請求項１】
紐なしマスクであって、
着用者の顔面の全部または一部を覆うマスク本体と、前記マスク本体を着用者の頭部に固定する、左右一対の固定部材と、を備え、
前記固定部材が前記マスク本体の左右の側縁部から左右外側方向に延出され、
前記マスク本体および前記固定部材が可撓性を有する樹脂シートからなり、
前記樹脂シートとして、マスク左側部を構成する第１樹脂シートと、マスク右側部を構成する第２樹脂シートと、を有し、
前記第１樹脂シートと前記第２樹脂シートが重ね合わされ、マスク本体の中心部に当たる前端部同士で結合されて一体化されており、
前記固定部材の末端部に前記マスク本体と結合可能な結合手段を有するもの。
【請求項２】
請求項１に記載の紐なしマスクであって、
前記第１樹脂シートと前記第２樹脂シートを重ね合わせ、マスク本体の中心部に当たる前端部同士を貼り合わせることにより一体化されており、
前記第１樹脂シートおよび前記第２樹脂シートの前端形状が高さ方向の中央部を前方に向かって凸とする凸形状に形成され、
前記第１樹脂シートと前記第２樹脂シートとの貼り合わせ部形状が高さ方向の中央部を前方に向かって凸とする凸形状に形成されているもの。
【請求項３】
請求項２に記載の紐なしマスクであって、
前記第１樹脂シートおよび前記第２樹脂シートの前端形状が高さ方向の中央部を前方に向かって凸とする円弧状に形成され、
前記第１樹脂シートと前記第２樹脂シートとの貼り合わせ部形状が高さ方向の中央部を前方に向かって凸とする円弧状に形成されているもの。
【請求項４】
請求項２または３に記載の紐なしマスクであって、
前記第１樹脂シートと前記第２樹脂シートとの貼り合わせ部の縁部に沿って、前記第１樹脂シートと前記第２樹脂シートのいずれか一方の表面のみに折り目線が形成されているもの。
【請求項５】
請求項１に記載の紐なしマスクであって、
前記固定部材の前記結合手段が前記固定部材の上端側および下端側の各々から高さ方向中央側に向かって形成された切り込みであり、
前記マスク本体の左右の側縁部に前記切り込みと係合可能なフック部が形成されているもの。
【請求項６】
請求項１に記載の紐なしマスクであって、
前記固定部材の高さ方向中央部に、前記固定部材に発生する応力を逃がす脆弱部が形成されているもの。
【請求項７】
請求項１に記載の紐なしマスクであって、
前記固定部材の高さ方向中央部に、前記固定部材の長手方向に沿って打ち抜き部が形成され、前記固定部材が前記打ち抜き部を挟んで上下２本に分離した構造となっているもの。
【請求項８】
請求項１に記載の紐なしマスクであって、
前記樹脂シートが、透明樹脂シートによって構成されているもの。
【請求項９】
請求項１に記載の紐なしマスクであって、
前記マスク本体が、着用者の鼻および口を覆い、着用者の目を覆わない形状に構成されているもの。
【発明の詳細な説明】
【技術分野】
【０００１】
本発明は、耳掛け紐のない紐なしマスクの技術分野に属するものである。
【背景技術】
【０００２】
近年、新型コロナウィルス感染症の流行により、感染防止手段としてのマスクの重要性が増している。マスクにより、他者から着用者への飛沫感染または着用者から他者への飛沫感染を有効に防止することができるからである。
【０００３】
ところで、従来のマスクは耳掛け紐により着用者の頭部に固定することが一般的であった。しかし、耳掛け紐は耳に紐が食い込み、耳が痛くなる等、装着時の快適さに欠けるという問題があった。
【０００４】
そこで、近年、耳掛け紐を有しないマスクが提案されている。例えば、マスク本体の顔面に相対する面の周辺部に粘着層を形成した複数のテープを設けて顔面に装着可能とした、紐なしマスクが提案されている（特許文献１）。
【０００５】
また、マスクの本体部と、その周囲部分に設けられた吸盤とを備え、この吸盤を顔面へ押し付けて前記本体部の周囲部分を顔面へ吸着させることにより、前記本体部を顔面へ直接固定するマスクが提案されている（特許文献２）。
【０００６】
更に、アンカー部材を顔面の複数ヶ所へ貼り付けておき、このアンカー部材に対してマスク本体部の取付部を係合等で着脱自在に支持することにより、マスクの本体部を顔面へ固定するマスクが提案されている（特許文献３）。
【０００７】
また、マスク本体と、マスク本体を顔面上で支持する支持体とを備え、支持体が顔面を含む頭部の一部を挟持して支持するばね挟持体であるマスクが提案されている（特許文献４）。
【０００８】
更に、ほぼ半球状の面に形成したマスク本体の両側に本体の曲面の延長で内側に湾曲した顔面を弾性挟持する挟持部を延設した多目的マスクが提案されている（特許文献５）。
【先行技術文献】
【特許文献】
【０００９】
【特許文献１】実用新案登録第３２２３２０１号
【特許文献２】特許第４１９７６８８号
【特許文献３】特許第４６８４３１８号
【特許文献４】特許第３０６２１８８号
【特許文献５】特許第３７４２４１８号
【発明の概要】
【発明が解決しようとする課題】
【００１０】
しかし、特許文献１に記載の紐なしマスク、特許文献２に記載のマスクまたは特許文献３に記載のマスクは顔面に直接的にマスクを固定する部材を貼り付ける構造であるため、皮脂や汗でマスクが外れ易い；メイク（化粧）が落ち易い；といった課題があった。
【００１１】
また、特許文献４に記載の多目的マスクまたは特許文献５に記載のマスクは、支持体または挟持部から発生する弾性力によって着用者の顔面（頬等）を強く挟み付ける構造であるため、頬やこめかみに支持体または挟持部が食い込み、頬やこめかみが痛くなる等、装着時の快適さに欠けるという問題があった。
【００１２】
本発明は、前記のような従来技術が有する課題を解決するものである。すなわち、本発明は、皮脂や汗でマスクが外れ難く、メイク（化粧）も落ち難く、着用感が快適な紐なしマスクを提供するものである。
【課題を解決するための手段】
【００１３】
本発明者らは、前記従来技術、特に特許文献４に記載の多目的マスクまたは特許文献５に記載のマスクの課題を解決すべく鋭意検討を重ねた。そして、前記多目的マスク等を装着時した際に締め付けの不快感を生ずる原因は、着用者の顔面を挟み付ける支持体（または挟持部）とカップ状に成形されたマスク本体と一体性が高く、マスク本体に前記支持体等の動きが拘束されている点；前記支持体等の剛性が高く、変形し難い点；によるものであることを見出した。
【００１４】
そこで、本発明者は、前記支持体（または挟持部）に相当する、左右一対の固定部材を可撓性の高い樹脂シートで構成すること；マスク本体を左右の樹脂シートから構成し、その樹脂シートを重ね合わせ、マスク本体の中心部に当たる前端部同士を結合し一体化すること；によって、前記課題を解決し得ることを見出し、本発明を完成するに至った。即ち、前記課題は以下に示す本発明によって解決される。
【００１５】
［１］紐なしマスク：
本発明は、紐なしマスクであって、着用者の顔面の全部または一部を覆うマスク本体と、前記マスク本体を着用者の頭部に固定する、左右一対の固定部材と、を備え、前記固定部材が前記マスク本体の左右の側縁部から左右外側方向に延出され、前記マスク本体および前記固定部材が可撓性を有する樹脂シートからなり、前記樹脂シートとして、マスク左側部を構成する第１樹脂シートと、マスク右側部を構成する第２樹脂シートと、を有し、前記第１樹脂シートと前記第２樹脂シートが重ね合わされ、マスク本体の中心部に当たる前端部同士で結合されて一体化されており、前記固定部材の末端部に前記マスク本体と結合可能な結合手段を有するもの；である。
【発明の効果】
【００１６】
本発明の紐なしマスクは、皮脂や汗でマスクが外れ難く、メイク（化粧）も落ち難く、着用感が快適である。
【図面の簡単な説明】
【００１７】
【図１】本発明の紐なしマスクの一の実施形態を模式的に示す斜視図である。
【図２】図１に示す紐なしマスクを畳んだ状態を模式的に示す斜視図である。
【図３】図１に示す紐なしマスクの一方の固定部材を内側に曲げ込んだ状態を模式的に示す斜視図である。
【図４】図１に示す紐なしマスクの一方の固定部材をマスク本体に係合させた状態を模式的に示す斜視図である。
【図５】図１に示す紐なしマスクの双方の固定部材をマスク本体に係合させた状態を模式的に示す斜視図である。
【図６】図１に示す紐なしマスクの双方の固定部材をマスク本体に係合させ、更に開いた状態を模式的に示す斜視図である。
【図７】図１に示す紐なしマスクを着用する方法を模式的に示す図である。
【図８】図１に示す紐なしマスクを着用した状態を模式的に示す図である。
【発明を実施するための形態】
【００１８】
以下、発明を実施するための形態について、図面を参照しながらさらに具体的に説明する。但し、本発明は特許請求の範囲に記載された要件を満たす全ての形態を包含し、図面に示された形態のみに限定されるものではない。
【００１９】
［１］本発明の特徴：
本発明の紐なしマスクは、図１に示す紐なしマスク１のように、左右一対の固定部材４，６を備えている。
【００２０】
紐なしマスク１は、図７および図８に示すように、固定部材４，６によって着用者の頭部を挟み込むようにしてマスク本体１を着用者の頭部に固定することができる。従って、耳掛け紐を有する従来のマスクのように耳に紐が食い込み、耳が痛くなることはない。また、例えば、美容室で来店者に紐なしマスク１を着用させた場合、耳掛け紐やストラップが髪の一部を覆ってカットやパーマの際に邪魔になることがない。
【００２１】
また、本発明の紐なしマスクは、図１に示す紐なしマスク１のように、固定部材４，６によって着用者の頭部を挟み込む構造である。
【００２２】
このような構造であれば、特許文献１乃至３に記載の技術のような粘着層、吸盤、アンカー部材等の着用者の顔面に直接的にマスクを固定する部材を貼り付ける必要がない。従って、皮脂や汗でマスクが外れ難く、メイク（化粧）も落ち難い。
【００２３】
更に、本発明の紐なしマスクは、図１に示す紐なしマスク１のように、固定部材４，６が可撓性の高い樹脂シートで構成されている。
【００２４】
固定部材４，６は着用者の頭部を挟み込んだ際に着用者の頭部形状に追従するように撓み変形をし、着用者の頭部にソフトに接触する。また、固定部材４，６は変形容易であることから、マスク本体２との一体性が低く、マスク本体２とは独立して挙動する。このため、特許文献４または５に記載の技術の支持体、挟持部のように、マスクを着用した際に顔面を強く挟み付けられることがなく、快適な着用感を得られる。
【００２５】
更にまた、本発明の紐なしマスクは、図１に示す紐なしマスク１のように、第１樹脂シート４と第２樹脂シート６を重ね合わせ、マスク本体２の中心部に当たる前端部同士を結合して一体化している。
【００２６】
このように、樹脂シートを重ね合わせて結合することにより、第１樹脂シート４、第２樹脂シート６に内向きに閉じようとする力が発生し、この力により固定部材に着用者の頭部を挟み込む力を付与している。しかも、マスク本体２も可撓性を有する樹脂シートからなる。このため、特許文献４または５に記載の技術のように剛性が高い支持体、挟持部を内向きに曲げ込み、これらのバネ力をもって着用者の頭部を挟み込むものと比較して、顔面を挟み付ける力は弱く、快適な着用感を得られる。
【００２７】
［２］紐なしマスク：
以下、図１および図２を参照しながら、本発明の紐なしマスクについて説明する。図１および図２に示す紐なしマスク１は、マスク本体２と、左右一対の固定部材４，６と、を備えている。
【００２８】
［２−１］マスク本体：
紐なしマスク１はマスク本体２が着用者の鼻および口を覆い、着用者の目を覆わない形状に構成されている。
【００２９】
但し、本発明において、マスク本体は着用者の顔面の全部または一部を覆うものであれば足りる。例えば、マスク本体が着用者の顔面のうち鼻および口以外の部分（例えば目の部分）を覆う形状のものであってもよいし、マスク本体が着用者の顔面の全部を覆う形状のもの（フェイスガード、フェイスシールドと称される）であってもよい。
【００３０】
［２−２］固定部材：
図示の紐なしマスク１は左右一対の固定部材４，６を備えている。固定部材４，６はマスク本体１を着用者の頭部に固定するための部材である。
【００３１】
固定部材４，６はマスク本体２の左右の側縁部から左右外側方向に延出されている。着用者の鼻および口を覆うマスク本体２に比して、固定部材４，６は幅狭の帯状に形成されている。但し、本発明において、固定部材はマスク本体を着用者の頭部に固定するという機能を発揮する限り、その形状は図示のような形状に限定されず、いかなる形状であってもよい。
【００３２】
図示の紐なしマスク１は固定部材４，６の高さ方向中央部に、固定部材４，６に発生する応力を逃がす脆弱部２２，２４が形成されている。具体的には、固定部材４，６の高さ方向中央部に、固定部材４，６の長手方向に沿って打ち抜き部が形成され、固定部材４，６が打ち抜き部を挟んで上下２本に分離した構造となっている。
【００３３】
このような構造とすると、固定部材４，６の可撓性や形状追従性が高まり、着用者の頭部形状にフィットし易くなる。従って、マスク本体２をより確実に固定することができ、紐なしマスク１が着用者の頭部から外れ難くなる。
【００３４】
［２−３］樹脂シート：
図示の紐なしマスク１はマスク本体２および固定部材４，６が可撓性を有する樹脂シートからなる。この樹脂シートとしては、マスク左側部を構成する第１樹脂シート８と、マスク右側部を構成する第２樹脂シート１０と、を有する。
【００３５】
「可撓性を有する」とは、手で容易に曲げられる程度の柔軟性があることを意味する。ここに言う「マスク左側部」、「マスク右側部」とは、紐なしマスクを着用した着用者を正面から見た際に、左側に位置する部分を「マスク左側部」、右側に位置する部分を「マスク右側部」と称することにする。
【００３６】
図示の紐なしマスク１においては、第１樹脂シート８と第２樹脂シート１０とが別体として構成されている。但し、本発明においては、第１樹脂シートと第２樹脂シートとが一体的なシートとして構成されていても良い。
【００３７】
図示の紐なしマスク１は樹脂シート（第１樹脂シート８、第２樹脂シート１０）が、透明樹脂シートによって構成されている。
【００３８】
少なくともマスク本体２を透明樹脂シートで構成することにより、着用者の表情を視認することができるという利点がある。例えば、接客サービスの提供者が着用すれば、着用者の表情が伝わり、サービス利用者に安心感を与えることができる。また、美容室の来店者に着用してもらえば、美容師は着用者の顔の輪郭を見ながらカットやパーマを行うことができ、仕上がり状態をイメージしながら作業を進めることができる。
【００３９】
但し、前記のような効果を必要としないのであれば、樹脂シートが透明樹脂シートである必要はない。目的に応じて、透光性を有する（半透明の）樹脂シートや着色した樹脂シートを用いることもできる。
【００４０】
樹脂シート（第１樹脂シート８、第２樹脂シート１０）はＰＥＴ（ポリエチレンテレフタレート）からなる厚さ０．２５ｍｍのシートである。
【００４１】
但し、適度な可撓性を有する限り、樹脂シート６の材質は特に限定されない。例えば、ＰＥ（ポリエチレン）、ＰＰ（ポリプロピレン）、ＰＶＣ（ポリ塩化ビニル）等、従来公知の樹脂素材の中から適宜選択して用いればよい。厚さについても適度な可撓性を発揮する限り特に制限はない。例えば、０．２ｍｍから０．５ｍｍのもの等を好適に用いることができる。
【００４２】
［２−４］第１樹脂シートと第２樹脂シートの結合構造：
図示の紐なしマスク１は第１樹脂シート８と第２樹脂シート１０が同一形状に形成されている。そして、その第１樹脂シート８と第２樹脂シート１０が重ね合わされ、マスク本体２の中心部に当たる前端部同士で結合されて一体化されている。より具体的には、第１樹脂シート８と第２樹脂シート１０を重ね合わせ、マスク本体２の中心部に当たる前端部同士を貼り合わせることにより一体化されている。
【００４３】
図示の紐なしマスク１においては、第１樹脂シート８と第２樹脂シート１０を熱融着により貼り合わせている。但し、貼り合わせの方法は特に限定されない。例えば、第１樹脂シートと第２樹脂シートを粘着剤により貼り合わせても良い。
【００４４】
また、本発明においては、第１樹脂シートと第２樹脂シートがその前端部同士で結合されて一体化されていれば足りる。即ち、第１樹脂シートと第２樹脂シートを必ずしも貼り合わせる必要はない。例えば、第１樹脂シートと第２樹脂シートが一体的なシートとして構成されていて、その幅方向中央部分で折り曲げられたような構造であっても良い。
【００４５】
図示の紐なしマスク１においては、第１樹脂シート８および第２樹脂シート１０の前端形状が高さ方向の中央部を前方に向かって凸とする凸形状（より具体的には円弧状）に形成されている。そして、第１樹脂シート８と第２樹脂シート１０との貼り合わせ部１２の形状が高さ方向の中央部を前方に向かって凸とする凸形状（より具体的には円弧状）に形成されている。ここに言う「高さ方向」とは、マスク本体の上下方向を意味する。
【００４６】
このような構造とすると、第１樹脂シートおよび第２樹脂シートの前端形状および第１樹脂シートと第２樹脂シートとの貼り合わせ部の形状を直線状とした場合に比して、第１樹脂シートと第２樹脂シートが内向きに閉じる力が強まり、固定部材の着用者頭部への締付け力が増す点において好ましい。
【００４７】
第１樹脂シートおよび第２樹脂シートの前端形状、第１樹脂シートと第２樹脂シートとの貼り合わせ部の形状は凸形状とすればよく、例えば折れ線状としてもよい。但し、図示の紐なしマスク1のように円弧状とすると、第１樹脂シート８と第２樹脂シート１０を左右に開き易く、第１樹脂シート８と第２樹脂シート１０の破損を有効に防止することができる。
【００４８】
図示の紐なしマスク１は第１樹脂シート８と第２樹脂シート１０との貼り合わせ部１２の縁部に沿って、第１樹脂シート８と第２樹脂シート１０のいずれか一方（具体的には第１樹脂シート８）の表面のみに折り目線が形成されている。このような構造は、第１樹脂シート８と第２樹脂シート１０を開こうとすると折り目線が形成されている第１樹脂シート８のみが折れ、容易かつ安定的に第１樹脂シート８と第２樹脂シート１０を開くことができる。なお、折り目線は樹脂シートの表面を押圧して押し込むことにより形成することができる。
【００４９】
［２−５］結合手段：
図示の紐なしマスク１は固定部材４，６の末端部にマスク本体２と結合可能な結合手段１４，１６を有する。具体的には、固定部材４，６の結合手段１４，１６が固定部材４，６の上端側および下端側の各々から高さ方向中央側に向かって形成された切り込みであり、マスク本体２の左右の側縁部に切り込みと係合可能なフック部１８，２０が形成されている。フック部１８，２０は高さ方向に向かって形成された長穴である。
【００５０】
このような構造とすると、固定部材４，６の末端部を内側に曲げ込み、マスク本体２の左右の側縁部に結合させ、固定部材４，６をループ状とすることができる。固定部材４，６をループ状とすることで、固定部材の柔軟性、形状追従性を向上させつつ、着用者の頭部を挟み込む力も増すことができる。
【００５１】
本発明における結合手段はマスク本体と結合可能である限り、その形態は切り込みと長穴の組み合わせに限定されない。例えば、固定部材の末端部に粘着部を形成して、マスク本体と結合可能としても良いし、固定部材の末端部とマスク本体の左右の側縁部に面状ファスナーやスナップボタンを付設して固定部材とマスク本体とを結合可能としても良い。
【００５２】
［３］使用方法：
本発明の紐なしマスクは以下のようにして使用する。
【００５３】
（１）図２に示すように、閉じた状態の紐なしマスク１を用意する。
【００５４】
（２）図１に示すように、紐なしマスク１のマスク本体２および固定部材４，６を左右に開く。
【００５５】
（３）図３に示すように、紐なしマスク１の固定部材４を内側に曲げ込む。
【００５６】
（４）図４に示すように、固定部材４をマスク本体２のフック部（長穴）に挿入し、固定部材４の係合部材（切り込み）を利用して、固定部材４とマスク本体２の側縁部とを係合させる。
【００５７】
（５）図５に示すように、固定部材６もマスク本体２のフック部（長穴）に挿入し、固定部材６の係合部材（切り込み）を利用して、固定部材６とマスク本体２の側縁部とを係合させる。
【００５８】
（６）図６に示すように、マスク本体２を左右に開く。
【００５９】
（７）図７に示すように、紐なしマスク１を着用者２６の鼻および口を覆うように宛がう。
【００６０】
（８）図８に示すように、着用者２６に紐なしマスク１が装着される。
【産業上の利用可能性】
【００６１】
本発明の紐なしマスクは、例えば、飲食店、理美容室をはじめとする接客サービス用のマスクとして利用することができる。特に、理美容室の来店者用マスクとして好適に用いることができる。
【符号の説明】
【００６２】
１：  紐なしマスク
２：  マスク本体
４，６：  固定部材
８：  第１樹脂シート
１０：  第２樹脂シート
１２：  貼り合わせ部
１４，１６：  結合手段
１８，２０：  フック部
２２，２４：  脆弱部
２６：  着用者
【要約】      （修正有）【課題】皮脂や汗でマスクが外れ難く、メイク（化粧）も落ち難く、着用感が快適な紐なしマスクを提供する。【解決手段】紐なしマスク１は、着用者の顔面の全部または一部を覆うマスク本体２と、マスク本体２を着用者の頭部に固定する、左右一対の固定部材４，６と、を備え、固定部材４，６がマスク本体２の左右の側縁部から左右外側方向に延出され、マスク本体２および固定部材４，６が可撓性を有する樹脂シートからなり、樹脂シートとして、マスク左側部を構成する第１樹脂シート８と、マスク右側部を構成する第２樹脂シート１０と、を有し、第１樹脂シート８と第２樹脂シート１０が重ね合わされ、マスク本体２の中心部に当たる前端部同士で結合されて一体化されている。【選択図】図１【図１】
0006883367.tif 000002
【図２】
0006883367.tif 000003
【図３】
0006883367.tif 000004
【図４】
0006883367.tif 000005
【図５】
0006883367.tif 000006
【図６】
0006883367.tif 000007
【図７】
0006883367.tif 000008
【図８】
0006883367.tif 000009